(57)【要約】【課題】  効率的かつ確実な帯電を可能にし、結果として微物採取の作業性が向上し、目的の微物を採取し損なうことがない微物採取装置を提供することである。【解決手段】  高電圧発生回路部と、この高電圧発生回路部で発生した電圧によって放電する放電電極１８を備えた電極部１６とを備えた微物採取装置において、上記電極部１６と帯電対象であるシートＳとの距離を測る距離センサ１９を上記電極部１６の近傍に設け、帯電にとって最適な距離を保てるようにした。【選択図】  図４
2012039755.tif 000002
【特許請求の範囲】
【請求項１】
高電圧発生回路部と、この高電圧発生回路部で発生した電圧によって放電する放電電極を備えた電極部とを備えた微物採取装置において、上記電極部と帯電対象であるシートとの距離を測る距離センサを上記電極部近傍に設けた微物採取装置。
【請求項２】
高電圧発生回路部と、この高電圧発生回路部で発生した電圧によって放電する放電電極を備えた電極部とを備えた微物採取装置において、上記電極部と帯電対象であるシートとの距離を一定に保つ間隔保持手段を備えた微物採取装置。
【請求項３】
高電圧発生回路部を組み込んだ本体と、電極部を組み込んだ電極ホルダとを備え、これら本体と電極ホルダとを延長棒を介して連結した請求項１または２に記載の微物採取装置。
【請求項４】
上記延長棒に対する電極ホルダの角度を調整する角度調整手段を設けた請求項３に記載の微物採取装置。
【請求項５】
上記延長棒は、本体及び電極ホルダのそれぞれに対して着脱可能にした請求項３または４に記載の微物採取装置。
【請求項６】
上記延長棒を伸縮可能にした請求項３〜５のいずれか１に記載の微物採取装置。
【発明の詳細な説明】
【技術分野】
【０００１】
この発明は、静電気を利用して、微物を吸着して採取する微物採取装置に関する。
【背景技術】
【０００２】
例えば、犯罪現場に犯人が残した足跡や、毛髪、繊維片など、肉眼での確認が難しい微物を採取する装置として、高電圧印加による静電気を利用した微物採取装置が知られている。
具体的には、微物の採取面に樹脂製の吸着シートを被せ、この吸着シートの静電気によって微物を吸着するようにしている。
そして、上記吸着シートを帯電させるため、イオンを放射する電極針を有する電極バーを備えている。この電極バーを吸着シートに近づけて移動させると、電極針による放電イオンによって吸着シートが帯電する。
【０００３】
そして、このような微物採取装置の電極バーから放射される放電イオンは、帯電バーから離れるに従ってその濃度が低くなる。そのため、吸着シートに対して電極バーが離れすぎると、吸着シート上の放電イオンの濃度が低くなって吸着シートの帯電が不十分になってしまうことがある。
一方、吸着シートに対して放電バーを近づけすぎると、放電イオンの広がりが小さくなり、吸着シートを隙間なく帯電させるためには、帯電バーを隙間なく移動させなければならない。そのため、時間がかかり作業性が悪くなってしまう。
このように、放電イオン濃度を確保しながら、帯電バーを楽に移動できる作業性のよい最適距離がある。
【０００４】
そこで、通常の微物採取装置では、電極バーから吸着シートまでの最適距離が、取り扱い説明書などに予め示されているものがあり、その距離を保って吸着シート上で帯電バーを移動させれば、効率的な帯電ができるようにしている。
【先行技術文献】
【特許文献】
【０００５】
【特許文献１】特公平０８−００７１１４号公報
【特許文献２】特開２００９−２４０１０１号公報
【発明の概要】
【発明が解決しようとする課題】
【０００６】
上記のように、微物採取装置では、吸着シートを確実、かつ効率的に帯電させるための電極バーの最適位置が決まっている。
しかし、上記最適位置を保って吸着シートを帯電させるためには、電極バーを移動させる作業時に、電極バーと吸着シートとの間を覗き込んで、両者間の距離を見ている必要ある。そのため、上記電極バーを最適位置に保つこと自体が難しく、電極バーと吸着シートとの距離を保つようにしたとしても、微物採取作業の作業性はよくならない。
また、帯電が不均一になったり、帯電漏れ箇所があったりした場合、目的の微物を採取し損なってしまうこともある。特に、犯罪現場などの証拠となる微物を取り損なうことは、事件の解決を遅らせることにもなり、大問題である。
【０００７】
この発明の目的は、吸着シートと帯電電極との最適距離を保ち、吸着シートの効率的かつ確実な帯電を可能にし、結果として微物採取の作業性が向上して、目的の微物を採取し損なうことがない微物採取装置を提供することである。
【課題を解決するための手段】
【０００８】
第１の発明は、高電圧発生回路部と、この高電圧発生回路部で発生した電圧によって放電する放電電極を備えた電極部とを備えた微物採取装置において、上記電極部と帯電対象であるシートとの距離を測る距離センサを上記電極部近傍に設けた点に特徴を有する。
【０００９】
第２の発明は、高電圧発生回路部と、この高電圧発生回路部で発生した電圧によって放電する放電電極を備えた電極部とを備えた微物採取装置において、上記電極部と帯電対象であるシートとの距離を一定に保つ間隔保持手段を備えた点に特徴を有する。
【００１０】
第３の発明は、上記高電圧発生回路部を組み込んだ本体と、電極部を組み込んだ電極ホルダとを備え、これら本体と電極ホルダとを延長棒を介して連結した点に特徴を有する。
第４の発明は、上記延長棒に対する電極ホルダの角度を調整する角度調整手段を設けた点に特徴を有する。
【００１１】
第５の発明は、上記延長棒を、本体及び電極ホルダのそれぞれに対して着脱可能にした点に特徴を有する。
第６の発明は、上記延長棒を伸縮可能にした点に特徴を有する。
【発明の効果】
【００１２】
第１の発明によれば、微物を吸着させる吸着シートと電極部との距離を、距離センサで検知しながら吸着シートを帯電させることができるので、吸着シートを作業性良く、確実に帯電させることができる。その結果、犯罪現場の証拠となる微物など、採取すべき微物を確実に採取することができる。
第２の発明によれば、微物を吸着させる吸着シートと電極部との距離を、一定に保つことができる。そのため、間隔保持手段で保持される距離を、帯電における最適値に設定すれば、吸着シートを作業性良く、確実に帯電させることができる。
【００１３】
第３の発明によれば、延長棒を介して本体と電極ホルダとを連結したので、作業者はしゃがんだり、無理な姿勢をしたりせずに、楽な姿勢で微物を採取することができる。そのため、微物採取の作業性が向上する。
また、延長棒によって本体と電極ホルダとの間を長くすれば、狭い場所や、奥まった場所に、電極ホルダを挿入して微物を採取することもできるようになる。
【００１４】
第４の発明によれば、電極ホルダの角度を調整することによって、電極部が吸着シートを帯電させるために最適な向きになるように調整できる。これにより、吸着シートをより効率的に帯電させることができる。
また、電極部に対する延長棒の角度を調整することによって、延長棒を作業場所に応じて、邪魔にならない方向に調整して使用することもできる。
【００１５】
第５、第６の発明によれば、延長棒の長さを変更できるため、作業者や作業場所に適した長さを採用することができる。従って、微物採取の作業性がより向上する。
特に、第６の発明では、延長棒を取り替えないで、長さを調節できるので、様々な長さの延長棒を用意する必要がない。
【図面の簡単な説明】
【００１６】
【図１】第１実施形態を示す正面図である。
【図２】第１実施形態の微物採取装置の使用例を示した側面図である。
【図３】第１実施形態の微物採取装置の部分拡大図であり、電極部の側面を示す図である。
【図４】第２実施形態を示す正面図である。
【図５】第２実施形態の微物採取装置の部分拡大図であり、電極部の側面を示す図である。
【発明を実施するための形態】
【００１７】
図１〜図３に、この発明の微物採取装置の第１実施形態を示す。
この微物採取装置は、棒状の本体１と電極ホルダ２とを着脱自在な延長棒３を介して連結したものである。
上記本体１は筒状の部材で、特許文献１，２に示された従来の装置と同様に、内部には図示しない高電圧発生回路部を備え、この回路のオン・オフを制御する電源スイッチ４と、帯電・除電を切り替えるための切り替えスイッチ５とを外周に設けている。
【００１８】
上記電源スイッチ４は、それを押している間、高電圧発生回路部の電源が入り、離すと切れるスイッチである。
また、微物を採取する際には、切り替えスイッチ５を帯電位置に切り替え、上記高圧発生回路によって高圧による放電イオンを発生させて帯電対象である吸着シートＳを帯電させるが、微物採取した後には、切り替えスイッチ５を除電位置に切り替えて吸着シートＳを除電してゴミなどを吸着しないようにする。
【００１９】
また、上記高電圧発生回路部に接続したアース端子６を本体１の外部に突出させ、このアース端子６にアース線７を接続している。
そして、この微物採取装置を用いる場合には、上記アース線７の端部を、この微物採取装置外のアース端子や接地した導電性物体に接続することによって、上記高圧発生回路を接地させるようにしている。
【００２０】
さらに、上記本体１は、上記アース端子とは反対側の外周にコネクタ部８を備え、後で説明する延長棒３のコネクタ部９によって延長棒３と連結可能にしている。具体的には、上記コネクタ部８に雄ネジを形成し、筒状のコネクタ部９の内周に雌ネジを形成し、両者をネジ結合するようにしている。但し、本体１と延長棒３との連結手段は、この実施形態の構成に限るものではなく、着脱可能ならばどのようのなものでもよい。
また、上記コネクタ部８側の端面にはコネクタジャック１０を設けている。このコネクタジャック１０は、本体１に延長棒３を連結したとき、延長棒３内のコネクタジャック１１に電気的に接続するものである。
【００２１】
上記延長棒３は、棒本体３ａの一方の端部に、上記本体１側のコネクタジャック１０と接続するコネクタジャック１１を備えるとともに、棒本体３ａの他方の端部には、棒本体３ａの軸線に対する電極ホルダ２の角度を調整するためのこの発明の角度調整機構であるアジャスタ１２を備えている。
さらに、このアジャスタ１２の先端には、外周に雄ネジを形成したコネクタ部１３を備え、さらにその先端にはコネクタジャック１４を突出させている。
【００２２】
そして、上記アジャスタ１２は、棒本体３ａと一体化した球状部１２ａとこれを回動自在に保持し、上記コネクタ部１３に固定した保持部１２ｂとからなる球関節構造である。但し、角度調整機構の構造はこれに限らず、例えばフレキシブルな部材を用いることができる。
この第１実施形態では、アジャスタ１２を延長棒３に設けているが、電極ホルダ２側に設けてもよいし、延長棒３及び電極ホルダ２と別部材にしてもよい。
なお、延長棒３内部には高電圧線を備え、上記一方の端部のコネクタジャック１０から他方の端部のコネクタジャック１４までを電気的に接続している。
【００２３】
一方、上記電極ホルダ２は、延長棒３のコネクタ部１３にかみ合うコネクタ部１５、このコネクタ部１５に連接してこの発明の電極ホルダを構成する電極バー１６、電極バー１６の両端に設けた一対の車輪１７，１７とからなる。
なお、この実施形態では、上記延長棒３のコネクタ部１３と、上記本体１のコネクタ部８の形状を同じにし、上記コネクタ部１５を本体１のコネクタ部８にも連結可能にしている。
【００２４】
また、上記電極バー１６は、上記コネクタ部１５の軸線に直行する方向を軸方向とするもので、この実施形態では、図３に示す通り断面を三角形とする部材を用いている。そして、この電極バー１６には、本体１の高電圧発生回路部と電気的に接続した複数の電極針１８を、電極バー１６の軸方向に所定の距離を保って配置している。なお、図３は、一方の車輪１７をはずした状態を示している。
上記電極針１８は、高電圧発生回路の電源を入れたとき、放電イオンを発生する電極であり、複数の電極針１８によってこの発明の電極部を構成している。
そして、上記車輪１７は、それを吸着シートＳ上に接触させたとき、電極バー１６から吸着シートＳまでの距離を帯電に最適な範囲に保つことができる直径を備えている。
【００２５】
上記第１実施形態の微物採取装置を用いて微物を採取する作業手順を以下に説明する。
まず、微物採取の対象となる面に吸着シートＳを広げる。作業者は、吸着シートＳを広げたら、本体１を手にして、スイッチ４を押しながら、上記吸着シートＳ上に車輪１７，１７を接触させて転がしてこの微物採取装置を移動させる。このとき、上記本体１の切り替えスイッチ５を帯電位置にしている。
【００２６】
このように、電源スイッチ４を押しながら電極バー１６を移動させれば、吸着シートＳは上記電極バー１６から照射された放電イオンによって帯電する。
上記のように、電極バー１６から放電イオンを照射させて移動させているときには、車輪１７を吸着シートＳ面に接触させているので、電極バー１６と吸着シートＳとの距離を車輪１７の大きさで決まる一定の距離に保つことができる。つまり、この第１実施形態では、上記車輪１７，１７がこの発明の間隔保持手段である。
【００２７】
この第１実施形態では、上記したように、車輪１７で保持される上記一定の距離を帯電に最適な距離に設定しているので、吸着シートＳ面上に車輪を接触させた状態で本体１を移動させるだけで、吸着シートＳに対して効率的な帯電が実現できる。作業者は電極バー１６から吸着シートＳまでの距離を気にしないでこの装置を移動させることができ、作業者の負担も少ないうえ、微物除去作業の作業性が向上する。
また、第１実施形態の微物採取装置は延長棒３を用いて、本体１と電極バー１６との間隔を長くしているので、作業者はしゃがみこむことなく、立ったままの楽な姿勢で電極バー１６を吸着シートＳに沿って移動させることができる。
【００２８】
なお、この発明の間隔保持手段は車輪にかぎらず、上記電極バー１６と吸着シートＳ面との距離を一定に保持したまま移動できるものならどのようなものでもよい。但し、移動する際に、吸着シートＳの表面との摩擦によって静電気を発生し、その静電気が吸着シートＳの帯電に影響を及ぼすような材質や構造は好ましくない。この第１実施形態の上記車輪１７，１７は、移動時に転がるので摩擦による影響を小さくできるものである。
また、吸着シートＳの帯電に最適な、電極バー１６から吸着シートまでの距離は、放電イオンを生成する電圧の大きさによっても異なる。そのため、上記間隔保持手段は、上記高電圧発生回路部の電圧に応じて設定する必要がある。
【００２９】
上記第１実施形態では、延長棒３を用いているが、この延長棒３を介在させないで本体１と電極ホルダ２とを直接連結するようにしてもよい。
また、延長棒３を、異なる長さの延長棒に取り替えて、微物採取装置の全長を変更することもできるし、テレスコピック構造や継ぎ足し構造にした延長棒によって、延長棒の長さを変更可能にすることもできる。
【００３０】
さらに、この実施形態の微物採取装置は、上記アジャスタ１２によって、本体１及び延長棒３に対する電極ホルダ２との角度を調整できるので、電極針１８の先端を吸着シートＳに正対させるなど、放電方で無駄なく帯電に寄与する方向を維持しながら、本体１の角度は、作業しやすい方向にすることができる。言い換えれば、作業者が作業し易い位置に本体１を維持したまま、電極針１８の方向を変更することができる。
【００３１】
上記のように、延長棒３やアジャスタ１２を備えれば、作業者がより楽な姿勢で作業ができるだけでなく、狭い箇所に電極ホルダ２を挿入することも可能になる。
但し、延長棒３やアジャスタ１２の有無にかかわらず、上記車輪１７などの間隔保持手段を備えることによって、吸着シートＳに対する放電イオンの照射を効率的に行うことができ、確実な帯電を実現して微物採取の作業効率を向上させるというこの発明の目的は達成できる。
【００３２】
図４，図５に示す第２実施形態は、電極ホルダ２に、間隔保持手段である車輪１７，１７を備えずに、距離センサ１９を備えるとともに、この距離センサ１９の検出結果を表示するためのランプ２０を本体１に設けたものである。
その他の構成は、上記第１実施形態と同じである。そこで、この第２実施形態の説明にも、上記第１実施形態と同様の構成要素には同じ符号を用いることにする。そして、以下には、第１実施形態と同じ機能を有する構成要素の詳細な説明は省略し、第１実施形態と異なる点を中心に説明する。
なお、図５は第１実施形態の図３と同様に、一方の車輪１７をはずした状態の図である。
【００３３】
第２実施形態の電極バー１６は、その軸方向の中程には距離センサ１９を設けている。この距離センサ１９は、検出針１８から吸着シートＳまでの距離を検出するセンサである。実際には、この距離センサ１９は、距離センサ１９と吸着シートＳまでの距離を検知するものであるが、上記本体１内に距離センサ１９の検出値を受信して電極針１８と吸着シートＳとの距離が最適範囲に保たれているか否かを判定する判定回路を備えている。
なお、この判定回路及び上記距離センサ１９に、無線通信機能を備え、距離センサ１９の検出信号を無線送信するようにしてもよいし、上記判定回路と上記距離センサ１９とを信号線によって接続するようにしてもよい。
【００３４】
そして、上記判定回路の判定結果を、本体１に設けたランプ２０で表示するようにしている。例えば、電極針１８から吸着シートＳまでの距離が最適範囲に保たれているときと最適範囲から外れたときとで、ランプ２０の色を変えるようにする。
このようにすれば、作業者は吸着シートＳ面上で電極ホルダ２を移動させる際に、上記ランプ２０の色を見ながら電極ホルダ２と吸着シートＳとの最適距離を保つことができる。
【００３５】
従って、第２実施形態の微物採取装置も、効率的な帯電により確実な微物採取を作業性良くできるものである。
この第２実施形態においても、延長棒３やアジャスタ１２による効果は、第１実施形態と同じである。また、上記延長棒３を取り替えたり、省略したりすることも可能である。
【００３６】
なお、第２実施形態では、間隔保持手段である車輪１７に替えて、距離センサ１９を備えているが、距離センサ１９を備えた第２実施形態の装置に、さらに車輪１７，１７を設けてもよい。
このようにすれば、上記車輪１７，１７によって吸着シートＳとの間の一定の距離を保ちながら、その距離が吸着シートＳの帯電に最適な距離であることをセンサ２０で確認しながら作業ができることになる。
【符号の説明】
【００３７】
１      本体
２      電極ホルダ
３      延長棒
１６    電極バー
１７    （間隔保持手段である）車輪
１８    電極針
１９    距離センサ
Ｓ      吸着シート
【図１】
2012039755.tif 000003
【図２】
2012039755.tif 000004
【図３】
2012039755.tif 000005
【図４】
2012039755.tif 000006
【図５】
2012039755.tif 000007